(57)【特許請求の範囲】
【請求項１】
貸玉ボタンの操作に基づいてカード処理手段から出力される玉貸要求信号を受信し、適宜玉貸可能信号の信号状態を制御し、さらに前記玉貸要求信号に応じて所定数の遊技球を送り出す遊技球送り出し処理を実行可能な遊技球送り出し手段と、
前記遊技球送り出し手段から出力される前記玉貸可能信号を受信し、適宜前記玉貸要求信号の信号状態を制御し、さらにカード状記録媒体に記録されたデータを読み書きして更新する玉貸し処理を実行可能な前記カード処理手段とを具備するパチンコ機において、
前記遊技球送り出し手段は、
前記遊技球送り出し手段自身が異常であるか否かを判定する第１異常判定手段と、
前記カード処理手段から受信する前記玉貸要求信号の信号状態に基づいて前記カード処理手段が異常であるか否かを判定する第２異常判定手段と、
前記第１異常判定手段の判定結果が異常である場合には、その旨を視認可能に表示する第１の表示手段と、
前記第２異常判定手段の判定結果が異常である場合には、その旨を視認可能に表示する第２の表示手段とを備えるとともに、
前記カード処理手段は、
前記カード処理手段自身が異常であるか否かを判定する第３異常判定手段と、
前記遊技球送り出し手段から受信する前記玉貸可能信号の信号状態に基づいて、前記遊技球送り出し手段が異常であるか否かを判定する第４異常判定手段と、
前記第３異常判定手段の判定結果が異常である場合には、その旨を視認可能に表示する第３の表示手段と、
前記第４異常判定手段の判定結果が異常である場合には、その旨を視認可能に表示する第４の表示手段とを備えることを特徴とするパチンコ機。
【請求項２】
前記請求項１に記載のパチンコ機において、
前記遊技球送り出し手段は、
前記第１異常判定手段の判定結果が異常である場合には、前記遊技球送り出し処理を終了させるとともに、
前記カード処理手段は、
前記第３異常判定手段の判定結果が異常である場合には、前記玉貸し処理を終了させることを特徴とするパチンコ機。
【請求項３】
前記請求項１または請求項２のいずれかに記載のパチンコ機において、
前記遊技球送り出し手段は、
前記第２異常判定手段の判定結果が異常である場合には、前記遊技球送り出し処理を終了させるとともに、
前記カード処理手段は、
前記第４異常判定手段の判定結果が異常である場合には、前記玉貸し処理を終了させることを特徴とするパチンコ機。
【請求項４】
前記請求項１〜請求項３のいずれかに記載のパチンコ機において、
前記遊技球送り出し手段は、前記遊技球送り出し手段自身が異常であるか否かを判定した後、判定結果が異常でない場合は、前記カード処理手段から受信する前記玉貸要求信号の信号状態に基づいて前記カード処理手段が異常であるか否かの判定を行い、
前記カード処理手段は、前記カード処理手段自身が異常であるか否かを判定した後、判定結果が異常でない場合は、前記遊技球送り出し手段から受信する前記玉貸可能信号の信号状態に基づいて前記遊技球送り出し手段が異常であるか否かの判定を行うことを特徴とするパチンコ機。
【請求項５】
前記請求項１〜請求項４のいずれかに記載のパチンコ機において、
前記遊技球送り出し手段は、送信される信号状態に基づく前記カード処理手段からの前期玉貸要求がない待機中では、前記第１異常判定手段にて前記遊技球送り出し手段自身が異常であるか否かの判定を繰返し行うとともに、
前記カード処理手段は、前記貸玉ボタンの操作が行われていない待機中では、前記第３異常判定手段にて前記カード処理手段自身が異常であるか否かの判定を繰返し行うことを特徴とするパチンコ機。
【発明の詳細な説明】
【０００１】
【発明の属する技術分野】
本発明は、プリペイドカードなどによって玉貸しの清算を行なうパチンコ機に関する。
【０００２】
【従来の技術】
従来、この種のパチンコ機として、パチンコ機の本体内に内蔵されて制御信号の授受に応じて必要数の遊技球を送り出す遊技球送り出し装置と、当該パチンコ機の本体側部に配設されてプリペイドカードの読み書きを行なうとともに貸玉ボタンの操作に応じて上記遊技球送り出し装置と制御信号を授受して遊技球の送り出しを指示するカード処理装置とを備えたものが知られている。
【０００３】
かかる構成において、遊技者がカード処理装置にプリペイドカードを挿入して貸玉ボタンを操作すると、カード処理装置はプリペイドカードで清算可能な範囲で上記遊技球送り出し装置に遊技球の送り出しを指示する制御信号を出力する。すると、遊技球送り出し装置は同制御信号により指示された玉数だけパチンコ機の上皿に遊技球を送り出す。
【０００４】
【発明が解決しようとする課題】
上述した従来のパチンコ機においては、遊技球送り出し装置とカード処理装置とが互いに相手方装置と制御信号の授受を行なうことにより動作していたため、いずれか一方のみが故障した場合に正常な制御信号の授受ができなくなり、所定の動作を行なうことができなくなるとともに、いずれが故障したのかも不明となってしまうという課題があった。
【０００５】
本発明は、上記課題にかんがみてなされたもので、故障の発生時に故障した機器を明確にして対応の敏速化に貢献せしめることが可能なパチンコ機の提供を目的とする。
【０００６】
【課題を解決するための手段】
上記目的を達成するため、請求項１にかかる発明は、貸玉ボタンの操作に基づいてカード処理手段から出力される玉貸要求信号を受信し、適宜玉貸可能信号の信号状態を制御し、さらに前記玉貸要求信号に応じて所定数の遊技球を送り出す遊技球送り出し処理を実行可能な遊技球送り出し手段と、前記遊技球送り出し手段から出力される前記玉貸可能信号を受信し、適宜前記玉貸要求信号の信号状態を制御し、さらにカード状記録媒体に記録されたデータを読み書きして更新する玉貸し処理を実行可能な前記カード処理手段とを具備するパチンコ機において、
前記遊技球送り出し手段は、前記遊技球送り出し手段自身が異常であるか否かを判定する第１異常判定手段と、前記カード処理手段から受信する前記玉貸要求信号の信号状態に基づいて前記カード処理手段が異常であるか否かを判定する第２異常判定手段と、前記第１異常判定手段の判定結果が異常である場合には、その旨を視認可能に表示する第１の表示手段と、前記第２異常判定手段の判定結果が異常である場合には、その旨を視認可能に表示する第２の表示手段とを備えるとともに、前記カード処理手段は、前記カード処理手段自身が異常であるか否かを判定する第３異常判定手段と、前記遊技球送り出し手段から受信する前記玉貸可能信号の信号状態に基づいて、前記遊技球送り出し手段が異常であるか否かを判定する第４異常判定手段と、前記第３異常判定手段の判定結果が異常である場合には、その旨を視認可能に表示する第３の表示手段と、前記第４異常判定手段の判定結果が異常である場合には、その旨を視認可能に表示する第４の表示手段とを備える構成としてある。
【０００７】
上記のように構成した請求項１にかかる発明においては、遊技球送り出し手段にて所定の制御信号の授受に応じて所定数の遊技球を送り出す遊技球送り出し処理を実行する。そして、カード処理手段は、操作スイッチの操作に応じてこの遊技球送り出し手段と前記制御信号の授受を行ない、この制御信号により前記遊技球送り出し手段による遊技球の送り出しを要求するとともにカード状記録媒体に記録されたデータを読み書きして更新を行なう玉貸し処理を実行する。このとき、遊技球送り出し手段は、カード処理手段と信号の送信を互いに行いつつ前記遊技球送り出し処理を実行する。一方、カード処理手段は、遊技球送り出し手段と信号の送信を互いに行いつつ前記玉貸し処理を実行する。そして、遊技球送り出し手段は、前記遊技球送り出し手段自身が異常であるか否かを判定する第１異常判定手段と、前記カード処理手段から受信する前記玉貸要求信号の信号状態に基づいて前記カード処理手段が異常であるか否かを判定する第２異常判定手段とを有する。また、カード処理手段は、カード処理手段自身が異常であるか否かを判定する第３異常判定手段と、遊技球送り出し手段から受信する前記玉貸可能信号の信号状態に基づいて、前記遊技球送り出し手段が異常であるか否かを判定する第４異常判定手段とを有する。さらには、遊技球送り出し手段は、第１異常判定手段の判定結果が異常である場合には、第１の表示手段にて、その旨を視認可能に表示するとともに、第２異常判定手段の判定結果が異常である場合には、第２の表示手段にて、その旨を視認可能に表示する。また、カード処理手段は、前記第３異常判定手段の判定結果が異常である場合には、第３の表示手段にて、その旨を視認可能に表示し、第４異常判定手段の判定結果が異常である場合には、第４の表示手段にて、その旨を視認可能に表示する。
【０００８】
すなわち、遊技球送り出し手段とカード処理手段は相互に信号の状態を基に異常を判定し合うとともに、自身の異常も判定している。これにより、遊技球送り出し手段にて異常が発生すれば、自身の第１異常判定手段、もしくはカード処理手段の第４異常判定手段にて、遊技球送り出し手段自身の異常を判定するとともに、第１の表示手段と、第４の表示手段にて異常を表示する。また、カード処理手段にて異常が発生すれば、自身の第３異常判定手段、もしくは遊技球送り出し手段の第２異常判定手段にて、カード処理手段自身の異常を表示するとともに、第２の表示手段と、第３の表示手段にてカード処理手段の異常を表示することができる。これにより、遊技球送り出し手段の玉送り出し処理と、カード処理手段の玉貸し処理中において、故障箇所の判定を明確に行うことが可能となる。
【０００９】
異常を検出した場合の後処理の一例として、請求項２にかかる発明は、前記請求項１に記載のパチンコ機において、前記遊技球送り出し手段は、前記第１異常判定手段の判定結果が異常である場合には、前記遊技球送り出し処理を終了させるとともに、前記カード処理手段は、前記第３異常判定手段の判定結果が異常である場合には、前記玉貸し処理を終了させる構成としてある。
上記のように構成した請求項２にかかる発明においては、第１異常判定手段が遊技球送り出し手段自身の異常を判定した場合は、玉送り出し処理を終了させる。また、第３異常判定手段がカード処理手段自身の異常を判定した場合は、玉貸し処理を終了させる。
【００１０】
前記遊技球送り出し手段は、前記第２異常判定手段の判定結果が異常である場合には、前記遊技球送り出し処理を終了させるとともに、前記カード処理手段は、前記第４異常判定手段の判定結果が異常である場合には、前記玉貸し処理を終了させてもよい。
また、前記遊技球送り出し手段は、前記遊技球送り出し手段自身が異常であるか否かを判定した後、判定結果が異常でない場合は、前記カード処理手段から受信する前記玉貸要求信号の信号状態に基づいて前記カード処理手段が異常であるか否かの判定を行い、前記カード処理手段は、前記カード処理手段自身が異常であるか否かを判定した後、判定結果が異常でない場合は、前記遊技球送り出し手段から受信する前記玉貸可能信号の信号状態に基づいて前記遊技球送り出し手段が異常であるか否かの判定を行う構成であってもよい。
さらに、前記遊技球送り出し手段は、送信される信号状態に基づく前記カード処理手段からの前期玉貸要求がない待機中では、前記第１異常判定手段にて前記遊技球送り出し手段自身が異常であるか否かの判定を繰返し行うとともに、前記カード処理手段は、前記貸玉ボタンの操作が行われていない待機中では、前記第３異常判定手段にて前記カード処理手段自身が異常であるか否かの判定を繰返し行う構成としてもよい。
【００１１】
【発明の効果】
以上説明したように本発明は、共同して遊技球の送り出しを行なう遊技球送り出し手段とカード処理手段という二つの手段において、異常が生じたときに、異常が発生した手段を即時に判断することができるため、修理などを敏速に行なうことができ、復旧の敏速化を向上せしめることが可能であるとともに、異常を監視するために特別な処理を行わせる必要がないため構成を簡素化することが可能なパチンコ機を提供することができる。
【００１２】
【発明の実施の形態】
以下、図面にもとづいて本発明の実施例を説明する。
図１は本発明の一実施例にかかるパチンコ機のブロック図、図２はパチンコ機の外観を示す斜視図、図３はパチンコ機の背面図である。
図において、パチンコ機１０は、プイペイドカードの読み書きなどを制御するカード処理ユニット（カード処理手段）２０と、所定数だけ遊技球を送り出す玉送り出しユニット（遊技球送り出し手段）３０とを備えている。
【００１３】
カード処理ユニット２０は、パチンコ機１０の側面に並設された幅狭の筺体内に組み込まれ、当該筺体の前面にプリペイドカードの挿入されるスリット２１ａを有するカード読み書き部２１と、パチンコ機１０の上皿に組み込まれてプリペイドカードの残高を表示する表示部２２と、この表示部２２の近傍に配設されて玉貸しと返却とを指示する操作部２３と、内蔵するマイコン２４ａによってこれらのカード読み書き部２１と表示部２２と操作部２３とを制御することによりプリペイドカードによる玉貸しの清算を行なったり残高を表示せしめたりするカード制御部２４とを備えている。
【００１４】
ここで、表示部２２は三桁のデジタル表示器２２ａを備えて百円単位でプリペイドカードの残高を表示し、操作部２３は貸玉ボタン（操作スイッチ）２３ａと返却ボタン２３ｂとを備えてそれぞれを押下することにより玉貸しと返却の指示とを行なう。また、当該カード処理ユニット２０は、上記カード制御部２４による制御のもとで自機の故障や玉送り出しユニット３０の故障の表示を行なうカード機側故障表示器２５と、同じくカード制御部２４による制御のもとでフォトカプラ４０を介して玉送り出しユニット３０と制御信号の授受を行なうカード機側通信部２６とを備えている。同カード機側故障表示器２５は自機の故障の表示を行なう第一のＬＥＤ２５ａと玉送り出しユニット３０の故障の表示を行なう第二のＬＥＤ２５ｂとを備えており、カード制御部２４が図４に示す玉貸し処理の実行して故障を検出したときにそれぞれを点滅せしめる。
【００１５】
なお、上記カード制御部２４とカード機側故障表示器２５とカード機側通信部２６とによりカード処理ユニット側の異常検出表示手段を構成している。一方、玉送り出しユニット３０は、フォトカプラ４０を介してカード処理ユニット２０との制御信号の授受を行なう玉送り出し機側通信部３１と、制御信号に応じた所定数の遊技球を上皿に送り出す玉送り出し機構３２と、内蔵するマイコン３３ａにより上記玉送り出し機側通信部３１を制御して上記カード処理ユニット２０との通信を行なうとともに上記玉送り出し機構３２による遊技球の送り出しを制御する玉送り出し制御部３３とを備えている。
【００１６】
また、当該玉送り出しユニット３０は、上記玉送り出し制御部３３による制御のもとで自機の故障やカード処理ユニット２０の故障の表示を行なう玉送り出し機側故障表示器３４を備えており、玉送り出し機側故障表示器３４は自機の故障の表示を行なう第三のＬＥＤ３４ａとカード処理ユニット２０の故障の表示を行なう第四のＬＥＤ３４ｂとを備えており、玉送り出し制御部３３が図５に示す玉送り出し処理の実行して故障を検出したときにそれぞれを点滅せしめる。
【００１７】
従って、この場合においては、上記玉送り出し機側通信部３１と玉送り出し制御部３３と玉送り出し機側故障表示器３４とにより玉送り出しユニット側の異常検出表示手段を構成している。なお、カード処理ユニット２０と玉送り出しユニット３０とを接続するフォトカプラ４０は、カード機側通信部２６と玉送り出し機側通信部３１との間で玉貸要求信号と玉貸可能信号とを授受するための二回線を備えている。
【００１８】
次に、上記構成からなる本実施例の動作を説明する。
電源が投入されると、カード処理ユニット２０と玉送り出しユニット３０とにおいてそれぞれのカード制御部２４と玉送り出し制御部３３のマイコン２４ａ，３３ａが図４及び図５に示す制御処理の実行を開始する。カード処理ユニット２０においては、マイコン２４ａは図４に示すステップ１００にて玉貸要求信号をハイレベルとすることにより玉貸非要求の状態を表し、ステップ１１０にて自機に故障が生じていないかを診断する。
【００１９】
いま、カード処理ユニット２０と玉送り出しユニット３０のいずれにおいても故障が生じていないとすると、マイコン２４ａはステップ１１０にて自機に故障が生じていないと判断し、ステップ１３０にて貸玉ボタン２３ａが操作されていないか判断する。電源を投入した直後においては遊技中ではないのが普通であるから、マイコン２４ａは同貸玉ボタン２３ａが操作されていないと判断して再度ステップ１１０に戻り、以上の判断を繰り返す。
【００２０】
一方、玉送り出しユニット３０においては、マイコン３３ａは図５に示すステップ２００にて玉貸可能信号をハイレベルとすることにより玉貸可能状態を表し、ステップ２１０にて自機に故障が生じていないか判断する。しかし、いまは自機に故障が生じていないのでマイコン３３ａはステップ２３０にて玉貸要求があるか否かを判断する。上述したように、カード処理ユニット２０においては玉貸非要求状態となっているので、マイコン３３ａは玉貸要求がないと判断してステップ２１０に戻り、以上のループを繰り返して待機する。
【００２１】
このような待機中に、遊技者が遊技を開始するためにプリペイドカードをカード読み書き部２１のスリット２１ａに挿入すると、マイコン２４ａは図示しない割り込み処理を実行してカード読み書き部２１にて同プリペイドカードの残高を読み取り、表示部２２に表示せしめる。遊技者は表示された残高を見て貸玉ボタン２３ａを押下すると、マイコン２４ａはステップ１３０にて貸玉ボタン２３ａが操作されたと判断し、ステップ１４０にて玉貸可能信号の状態を検出して玉貸可能であるか否かを判断する。
【００２２】
玉送り出しユニット３０においてはステップ２００にて玉貸可能状態としているので、マイコン２４ａはステップ１４０にて玉貸可能であると判断し、ステップ１７０にて玉貸要求信号をローレベルとして玉貸要求状態を表す。玉貸要求信号がローレベルとなると、玉送り出しユニット３０のマイコン３３ａはステップ２３０にて玉貸要求があったものと判断し、ステップ２４０にて玉貸可能信号をローレベルとすることにより玉貸不可能状態を表した後、ステップ２５０にて玉送り出し機構３２を制御して遊技球を送り出す。
【００２３】
マイコン３３ａは玉送り出し機構３２に対して遊技球の送り出しを指示した後、ステップ２６０にて同玉送り出し機構３２から送り出しが終了した通知を待ち続けており、終了の通知があるとステップ２７０にて玉貸可能信号をハイレベルに戻して玉貸可能状態を表す。上述したように、玉貸要求を表すと玉送り出しユニット３０の側が玉貸不可能を表示するため、カード処理ユニット２０におけるマイコン２４ａはステップ１７０にて玉貸要求を表した後、ステップ１８０にて玉貸可能信号がハイレベルに復帰されていないか検出することにより、玉貸可能状態となっていないか判断する。
【００２４】
通常の玉送り出し作業は開始から終了まで１０秒以内で完了するはずであり、マイコン２４ａはステップ１９０にて玉貸要求を表してから１０秒が経過していないか判断し、１０秒以内であれば再度ステップ１８０にて玉貸可能に戻っていないか判断する。玉の送り出しが終了して玉貸可能信号がハイレベルとなると、マイコン２４ａはステップ１９５にて玉貸要求信号をハイレベルに戻すことにより、玉貸非要求状態を表し、ステップ１１０に戻って自機の故障の判断と貸玉ボタンの操作の検出を繰り返す。
【００２５】
また、玉送り出しユニット３０においてはマイコン３３ａはステップ２８０にて玉貸要求信号がハイレベルに戻ったか否かを判断し、ハイレベルに戻っていない場合はステップ２９０にて玉貸可能を表してから０．５秒が経過していないか判断する。０．５秒間内は再度ステップ２８０に戻って玉貸要求信号が回復したかを判断し、同玉貸要求信号がハイレベルとなったときにマイコン３３ａはステップ２１０に戻って自機の故障の判断と玉貸要求があるか否かの検出を繰り返す。なお、このようにして玉の送り出しを完了した後、図示しない割り込み処理などによってマイコン２４ａはカード読み書き部２１を制御し、貸玉に対する清算を行なうとともに清算後の残高を表示部２２に表示せしめる。
【００２６】
図６は貸玉ボタンを操作した場合における玉貸要求信号と玉貸可能信号の変化状態を表しており、図６（Ｉ）は時刻ｔ０にて貸玉ボタンを押下して玉貸しが行なわれた状態を示している。これに対し、図６（II）に示すように玉送り出しユニット３０が玉の送り出しを行なっているときに、時刻ｔ０にて貸玉ボタン２３ａを押下したとすると、貸玉ボタン２３ａを押下したときには玉貸不可能状態となっており、マイコン２４ａはステップ１４０にて玉貸不可能であると判断し、ステップ１５０にて貸玉ボタン２３ａの操作から１０秒が経過していないか判断する。
【００２７】
正常に作動しているときは玉の送り出しに１０秒以上を要しないので、貸玉ボタン２３ａの操作から１０秒以内に玉の送り出し作業が終了して玉貸可能信号はハイレベルに復帰され、ステップ１５０にて１０秒が経過すると判断される前に玉の送り出しが開始される。これに対し、貸玉ボタン２３ａの操作に応じて玉の送り出しが開始された後、玉送り出しユニット３０に故障が生じたとする。
【００２８】
この場合、玉送り出しユニット３０のマイコン３３ａはステップ２５０にて玉送り出し機構３２に玉の送り出しを指示した後、ステップ２６０にて玉の送り出しの終了の通知を待ち続けているが、このときに当該通知が表れないので玉貸可能信号がローレベルのままとなる。玉の送り出しが開始されると、カード処理ユニット２０におけるマイコン２４ａはステップ１８０とステップ１９０にて１０秒以内に玉貸可能信号がハイレベルに復帰するのを待機しているが、上述したようにして玉貸可能信号がローレベルのままとなると図６（III ）に示すようにして１０秒が経過してしまう。
【００２９】
すると、マイコン２４ａはステップ１９０にて１０秒経過と判断し、ステップ１６０にてカード機側故障表示器２５を制御して玉送り出しユニット３０の故障を表示するために第二のＬＥＤ２５ｂを点滅せしめ、そのまま玉貸し処理を終了してしまう。むろん、この場合に図示しない制御線にてマイコン２４ａはホールのコンピュータなどに故障が生じたことを通知しておく。この場合、担当者がカード処理ユニット２０の下方に配設された第二のＬＥＤ２５ｂの点滅を確認することにより、故障が玉送り出しユニット３０の側に生じていることが分かる。
【００３０】
また、貸玉ボタン２３ａを押下したときにマイコン２４ａはステップ１４０にて玉貸可能状態であるか否かを判断するが、このときに既に玉貸不可能な状態となっていて図６（IV）に示すようにしてそのまま１０秒が経過してしまったときにも、マイコン２４ａはステップ１６０にて玉送り出しユニット３０の故障を表示するために第二のＬＥＤ２５ｂを点滅せしめて玉貸し処理を終了する。
【００３１】
上述した例においては、玉送り出しユニット３０の側に故障が生じた場合について説明した。ところで、貸玉ボタン２３ａを押下して玉の送り出しが開始され、正常に所定数の玉を送り出すと玉貸可能信号はステップ２７０にてハイレベルに復帰され、マイコン３３ａはステップ２８０にて玉貸要求信号がハイレベルに復帰されたか否かを検出する。
【００３２】
このときにカード処理ユニット２０において故障が生じると、第６図（Ｖ）に示すように玉貸要求信号がハイレベルに復帰されず、そのまま０．５秒が経過する。すると、マイコン３３ａはステップ３００にて玉送り出し機側故障表示器３４を制御してカード処理ユニット２０の故障を表示するために第四のＬＥＤ３４ｂを点滅せしめ、そのまま玉送り出し処理を終了してしまう。むろん、この場合にもマイコン３３ａはホールのコンピュータなどに故障が生じたことを通知しておく。
【００３３】
この場合、担当者がパチンコ機１０の背面をチェックすると玉送り出しユニット３０のケースに配設された第四のＬＥＤ３４ｂが点滅しており、カード処理ユニット２０の側に故障が生じていることを認識できる。
【００３４】
また、カード処理ユニット２０と玉送り出しユニット３０のそれぞれにおいてマイコン２４ａとマイコン３３ａは自機の故障を検出しており、マイコン２４ａがステップ１１０にてカード処理ユニット２０の故障を検出すると、ステップ１２０にてカード機側故障表示器２５を制御して第一のＬＥＤ２５ａを点滅せしめ、自己の故障を表示して玉貸し処理を終了する。一方、マイコン３３ａにおいてもこれと同様にしてステップ２１０にて自機に故障が生じていないかを検出しており、故障が生じている場合にはステップ２２０にて玉送り出し機側故障表示器３４を制御して第三のＬＥＤ３４ａを点滅せしめて玉送り出し処理を終了する。かかる場合に、担当者は故障の生じたパチンコ機１０をチェックすることによりカード処理ユニット２０に配設された第一のＬＥＤ２５ａや玉送り出しユニット３０に配設された第三のＬＥＤ２４ａが点滅していることを確認して故障の生じた機器をすばやく認識することができる。
【００３５】
なお、上述した実施例においては、カード処理ユニットと玉送り出しユニットの相互間で行なわれる玉貸要求などの制御信号の授受によって相手側の故障を検出しているが、それぞれにおいて各所の異常を表す制御信号線を配設し、互いにかかる制御信号線をモニターして異常を検出するような構成としても良い。また、異常を表示するにあたり、独自の表示素子を配設するのではなく一つのＬＥＤで点滅方法を変えて異常を表示しても良いし、表示素子についてもＬＥＤに限らず他の表示素子、例えば残高表示のデジタル表示器やパチンコ機１０に配設されたデジタル表示器などを共用するようにしても良い。
【００３６】
このように、カード処理ユニット２０のマイコン２４ａがステップ１９０にて１０秒経過と判断すると、ステップ１６０にてカード機側故障表示器２５を制御して玉送り出しユニット３０の故障を表示するために第二のＬＥＤ２５ｂを点滅させ、そのまま玉貸し処理を終了するとともに、玉送り出しユニット３０のマイコン３３ａがステップ３００にて玉送り出し機側故障表示器３４を制御してカード処理ユニット２０の故障を表示するために第四のＬＥＤ３４ｂを点滅させ、そのまま玉送り出し処理を終了することにより、第二のＬＥＤ２５ｂあるいは第四のＬＥＤ３４ｂの状態に基づいて故障しているユニットを簡単に特定することが可能になるとともに、各処理を終了することによっても故障しているユニットを特定することが可能になる。
【図面の簡単な説明】
【図１】本発明の一実施例にかかるパチンコ機のブロック図である。
【図２】パチンコ機の外観を示す斜視図である。
【図３】パチンコ機の背面の概略を示す背面図である。
【図４】カード処理ユニットにおける玉貸し処理を表すフローチャートである。
【図５】玉送り出しユニットにおける玉送り出し処理を表すフローチャートである。
【図６】制御信号のタイミングを表すタイミングチャートである。
【符号の説明】
１０…パチンコ機
２０…カード処理ユニット
２１…カード読み書き部
２３…操作部
２３ａ…貸玉ボタン
２４…カード制御部
２４ａ…マイコン
２５…カード機側故障表示器
２５ａ…第一のＬＥＤ
２５ｂ…第二のＬＥＤ
３０…玉送り出しユニット
３２…玉送り出し機構
３３…玉送り出し制御部
３３ａ…マイコン
３４…玉送り出し機側故障表示器
３４ａ…第三のＬＥＤ
３４ｂ…第四のＬＥＤ
【図１】
0003858969.tif 000002
【図２】
0003858969.tif 000003
【図３】
0003858969.tif 000004
【図４】
0003858969.tif 000005
【図５】
0003858969.tif 000006
【図６】
0003858969.tif 000007